(57)【要約】【課題】電線又は電線束の周りでのハーネスクランプの回転を抑制できるハーネスクランプを提供すること。【解決手段】ハーネスクランプ１は、固定部２とベルト部３とベルト係止部４とを備える。固定部２は、電線９１又は電線束９２を支持可能な支持部５を有する。支持部５は、電線９１又は電線束９２の延在方向である第１方向Ｘに交差する第２方向Ｙに延びて形成された壁部５１を含み、壁部５１の先端側縁部５１９に電線９１又は電線束９２の外周部の少なくとも一部を収容可能な凹部５１０が形成されている。【選択図】図１
2015226448.tif 000002
【特許請求の範囲】
【請求項１】
電線又は電線束を固定相手部に対して固定するハーネスクランプであって、
前記電線又は電線束を支持可能な支持部を有し前記固定相手部に対して固定可能な固定部と、
前記固定部の前記支持部側で前記電線又は電線束に巻き付けられるベルト部と、
前記ベルト部に係止して前記ベルト部を前記電線又は前記電線束に巻き付けられた巻付形態に維持するベルト係止部と、を備え、
前記支持部は、前記電線又は前記電線束の延在方向である第１方向に交差する第２方向に延びて形成された壁部を含み、前記壁部の先端側縁部に前記電線又は前記電線束の外周部の少なくとも一部を収容可能な凹部が形成されている、ハーネスクランプ。
【請求項２】
請求項１に記載のハーネスクランプであって、
前記支持部が、前記壁部に連なり前記第１方向に延びて形成された補助壁部をさらに含む、ハーネスクランプ。
【請求項３】
請求項２に記載のハーネスクランプであって、
前記補助壁部が、前記凹部の両側外方に形成された一対の両側補助壁部を含む、ハーネスクランプ。
【請求項４】
請求項３に記載のハーネスクランプであって、
前記壁部の高さが、前記両側補助壁部の高さよりも低い、ハーネスクランプ。
【請求項５】
請求項４に記載のハーネスクランプであって、
前記壁部のうち前記両側補助壁部に連なる部分と前記凹部とを繋ぐ部分が、前記凹部に向けて高さが徐々に低くなる形状に形成されている、ハーネスクランプ。
【請求項６】
請求項２から請求項５のいずれか１項に記載のハーネスクランプであって、
前記ベルト部と前記固定部とが別体であり、
前記固定部には、仕切板部により仕切られそれぞれ前記ベルト部の両端部を挿通可能な一対のベルト挿通孔部が形成されており、
前記補助壁部が、前記仕切板部の前記支持部側に延出して形成された仕切側補助壁部を含む、ハーネスクランプ。
【請求項７】
請求項１から請求項６のいずれか１項に記載のハーネスクランプであって、
前記凹部の幅が前記電線の幅よりも小さい、ハーネスクランプ。
【発明の詳細な説明】
【技術分野】
【０００１】
本発明は、電線又は電線束を固定対象に固定するハーネスクランプに関する。
【背景技術】
【０００２】
自動車等の車両に搭載されるワイヤーハーネスが、ハーネスクランプによって、車体を構成する金属パネル等の固定相手部に固定されることがある。
【０００３】
例えば、特許文献１に示されるハーネスクランプは、ワイヤーハーネスを支持する面側に形成された一対の大突起部及び小突起部を有している。ワイヤーハーネスは、一対の大突起部間又は小突起部間に挟まれるようにして支持される。一対の大突起部及び小突起部は、ワイヤーハーネスに食い込み、ワイヤーハーネスの延在方向のずれ及びワイヤーハーネスの周りでのハーネスクランプの回転を防止する。
【０００４】
なお、特許文献１では、大突起部が複数本の電線（電線束）のずれ等を防止する場合及び小突起部が１本の電線のずれ等を防止する場合が開示されている。
【先行技術文献】
【特許文献】
【０００５】
【特許文献１】特開２０１３−１１８７４１号公報
【発明の概要】
【発明が解決しようとする課題】
【０００６】
特許文献１に示されるハーネスクランプにおいて、例えば、電線又は電線束の周りでのハーネスクランプの回転等を生じさせる外力が大きいと、この電線又は電線束の延在方向に直交する方向に大突起部及び小突起部を倒すように変形させる倒れ変形が生じることがある。以下、この外力を横倒し方向の外力と称する。
【０００７】
突起部は、その形状から横倒し方向の外力により倒れ変形しやすい。この場合、突起部が電線又は電線束に食い込んだ状態が解除されやすくなり、電線又は電線束の周りでのハーネスクランプの回転を防止できないことが懸念される。
【０００８】
本発明は、電線又は電線束を固定対象に固定するハーネスクランプにおいて、電線又は電線束の周りでのハーネスクランプの回転を抑制できるハーネスクランプを提供することを目的とする。
【課題を解決するための手段】
【０００９】
第１態様に係るハーネスクランプは、電線又は電線束を固定相手部に対して固定するハーネスクランプであって、前記電線又は電線束を支持可能な支持部を有し前記固定相手部に対して固定可能な固定部と、前記固定部の前記支持部側で前記電線又は電線束に巻き付けられるベルト部と、前記ベルト部に係止して前記ベルト部を前記電線又は前記電線束に巻き付けられた巻付形態に維持するベルト係止部と、を備え、前記支持部は、前記電線又は前記電線束の延在方向である第１方向に交差する第２方向に延びて形成された壁部を含み、前記壁部の先端側縁部に前記電線又は前記電線束の外周部の少なくとも一部を収容可能な凹部が形成されている。
【００１０】
第２態様に係るハーネスクランプは、第１態様に係るハーネスクランプの一態様である。第２態様に係るハーネスクランプにおいては、前記支持部が、前記壁部に連なり前記第１方向に延びて形成された補助壁部をさらに含む。
【００１１】
第３態様に係るハーネスクランプは、第２態様に係るハーネスクランプの一態様である。第３態様に係るハーネスクランプにおいては、前記補助壁部が、前記凹部の両側外方に形成された一対の両側補助壁部を含む。
【００１２】
第４態様に係るハーネスクランプは、第３態様に係るハーネスクランプの一態様である。第４態様に係るハーネスクランプにおいては、前記壁部の高さが、前記両側補助壁部の高さよりも低い。
【００１３】
第５態様に係るハーネスクランプは、第４態様に係るハーネスクランプの一態様である。第５態様に係るハーネスクランプにおいては、前記壁部のうち前記両側補助壁部に連なる部分と前記凹部とを繋ぐ部分が、前記凹部に向けて高さが徐々に低くなる形状に形成されている。
【００１４】
第６態様に係るハーネスクランプは、第２態様から第５態様のいずれかに係るハーネスクランプの一態様である。第６態様に係るハーネスクランプにおいては、前記ベルト部と前記固定部とが別体であり、前記固定部には、仕切板部により仕切られそれぞれ前記ベルト部の両端部を挿通可能な一対のベルト挿通孔部が形成されており、前記補助壁部が、前記仕切板部の前記支持部側に延出して形成された仕切側補助壁部を含む。
【００１５】
第７態様に係るハーネスクランプは、第１態様から第６態様のいずれかに係るハーネスクランプの一態様である。第７態様に係るハーネスクランプにおいては、前記凹部の幅が前記電線の幅よりも小さい。
【発明の効果】
【００１６】
上記の各態様において、ハーネスクランプは、電線又は電線束を支持可能な支持部を有する固定部を備える。支持部は、電線又は電線束の延在方向である第１方向に交差する第２方向に延びて形成された壁部を含む。壁部の先端側縁部には、電線又は電線束の外周部の少なくとも一部を収容可能な凹部が形成されている。この場合、凹部の縁が電線に接触し、電線の周りでのハーネスクランプの回転を抑制する。また、第２方向に延びた壁部は、横倒し方向の外力によって倒れ変形しにくい。そのため、凹部の縁が電線に接する状態が解除されにくくなり、ハーネスクランプの回転を抑制できる。
【００１７】
また、上記の第２態様では、ハーネスクランプは、壁部に連なり第１方向に延びて形成された補助壁部をさらに有する。この場合、壁部は、第１方向において倒れにくくなる。そのため、電線の周りでのハーネスクランプの回転に加え、第１方向における電線のずれを抑制できる。
【００１８】
また、上記の第３態様では、補助壁部が、凹部の両側外方に形成された一対の両側補助壁部を含む。この場合、一対の両側補助壁部が電線束に接し、電線束の周りでのハーネスクランプの回転を抑制できる。そのため、壁部の凹部と一対の補助壁部とにより、様々な態様の電線又は電線束の周りでのハーネスクランプの回転をより抑制できる。
【００１９】
また、上記の第４態様では、壁部の高さが、両側補助壁部の高さよりも低い。この場合、両側補助壁部が電線束に接触しやすくなり、電線又は電線束の周りでのハーネスクランプの回転をより抑制できる。
【００２０】
また、上記の第５態様では、壁部のうち両側補助壁部に連なる部分と凹部とを繋ぐ部分が凹部に向けて高さが徐々に低くなる形状に形成されている。この場合、電線が、凹部内に案内されやすくなる。これにより、電線の周りでのハーネスクランプの回転をより抑制できる。
【００２１】
また、上記の第６態様では、ベルト部と固定部とが別体であり、固定部には、仕切板部により仕切られそれぞれベルト部の両端部を挿通可能な一対のベルト挿通孔部が形成されている。そして、補助壁部が、仕切板部の支持部側に延出して形成された仕切側補助壁部を含む。この場合、ベルト部の挿通用の孔を形成する仕切板部の支持部側に延出して形成された仕切側補助壁部により、電線のずれを抑制できる。
【００２２】
また、上記の第７態様では、凹部の幅が電線の幅よりも小さい。この場合、凹部の縁が電線に接触しやすくなり、電線の周りでのハーネスクランプの回転をより抑制できる。
【図面の簡単な説明】
【００２３】
【図１】第１実施形態に係るハーネスクランプの斜視図である。
【図２】第１実施形態に係るハーネスクランプの正面図である。
【図３】第１実施形態に係るハーネスクランプの断面図である。
【図４】第１実施形態に係るハーネスクランプの固定部の側面図である。
【図５】第１実施形態に係るハーネスクランプの固定部の断面図である。
【図６】第１実施形態に係るハーネスクランプの固定部の平面図である。
【図７】第１実施形態に係るハーネスクランプの正面図である。
【図８】第２実施形態に係るハーネスクランプの断面図である。
【発明を実施するための形態】
【００２４】
以下、添付の図面を参照しながら、実施形態について説明する。以下の実施形態は、本発明を具体化した一例であり、本発明の技術的範囲を限定する事例ではない。
【００２５】
＜第１実施形態＞
図１〜６を参照しつつ、本実施形態に係るハーネスクランプ１について説明する。ハーネスクランプ１は、電線９１又は電線束９２を固定相手部８に対して固定する。なお、図１〜３には、ハーネスクランプ１が、電線９１を固定する場合が示されており、また、図６には、ハーネスクランプ１が、電線束９２を固定する場合が示されている。
【００２６】
本実施形態において、固定相手部８は、例えば、車体を構成する金属パネル等である。本実施形態では、厚さ方向に貫通するハーネスクランプ１の固定用の孔（以下、固定孔）が形成された固定相手部８に、ハーネスクランプ１が固定される場合を説明する。
【００２７】
＜ハーネスクランプ＞
ハーネスクランプ１は、固定部２とベルト部３とベルト係止部４とを備える。ハーネスクランプ１は、例えば、合成樹脂材料を射出成型等して形成される。なお、本実施形態は、ハーネスクランプ１の固定部２とベルト部３とが別体であり、さらに、ベルト係止部４が固定部２に形成されている場合の事例である。
【００２８】
図１〜３は、それぞれハーネスクランプ１の斜視図、正面図及び断面図である。図１〜３において、電線９１は仮想線で描かれている。図４〜６は、それぞれハーネスクランプ１の固定部２の側面図、断面図及び平面図である。図７は、ハーネスクランプ１の正面図である。図７において、電線束９２は、仮想線で描かれている。
【００２９】
電線９１は、例えば、銅又はアルミニウムなどを主成分とする導体と、その導体の周囲を覆う絶縁被覆と、を有する絶縁電線である。また、電線束９２は、複数の電線９１により構成されている。
【００３０】
＜ハーネスクランプ：固定部＞
固定部２は、固定相手部８に対して固定可能な部分である。固定部２は、電線９１又は電線束９２を支持可能な支持部５を有する。本実施形態において、支持部５は、２つの壁部５１を含んでいる。
【００３１】
また、本実施形態では、図３に示されるように、固定部２に、仕切板部２６により仕切られそれぞれベルト部３の両端部を挿通可能な一対のベルト挿通孔部２５が形成されている。そして、本実施形態は、固定部２が、固定相手部８に形成された固定孔に挿入される挿入部２１と弾性変形可能なスカート部２２とを含む場合の事例である。
【００３２】
より具体的には、本実施形態では、固定部２が、一方向に延びて形成された挿入部２１、挿入部２１を上記一方向において貫通する一対のベルト挿通孔部２５、ベルト挿通孔部２５の両側に形成された２つの壁部５１及び挿入部２１の周囲に形成されたスカート部２２を備える。
【００３３】
＜ハーネスクランプ：固定部（挿入部、スカート部及びベルト挿通孔部）＞
本実施形態において、ハーネスクランプ１における固定部２の挿入部２１は、固定相手部８に形成された固定孔に挿入される部分である。図１〜６に示される例では、挿入部２１は、凸形状を有している。しかしながら、挿入部２１が、円柱状或いは直方体状に形成されている場合等も考えられる。
【００３４】
また、図１〜７に示される例では、固定相手部８と係止可能な一対の係止爪２３が挿入部２１に形成されている。係止爪２３は、挿入部２１の外周部から外周側へ張り出す形状に形成されている。また、係止爪２３は、先端側の部分が自由端とされて内側（挿入部２１側）に向けて弾性変形可能に形成されている。係止爪２３が、固定相手部８の固定孔の周縁部に係止することによりハーネスクランプ１が固定相手部８に対して固定される。
【００３５】
また、図１〜７に示される例では、係止爪２３の先端側部分には、複数の係止面２３０が設けられている。係止面２３０は、ハーネスクランプ１が挿入される方向（以下、挿入方向Ｚ）において段階的に複数設けられている。なお、挿入部２１は、この挿入方向Ｚに沿って形成されており、挿入方向Ｚは、上記一方向に重なる方向である。
【００３６】
係止爪２３は、挿入部２１が固定相手部８の固定孔に挿入されるにつれて内側に弾性変形し、係止面２３０が固定孔を越えると弾性変形前の形態に復帰する。本実施形態では、複数の係止面２３０のいずれかが固定孔の周縁部に係止する。即ち、本実施形態におけるハーネスクランプ１は、固定相手部８の厚さによって固定孔の周縁部に係止する係止面２３０が変わる。
【００３７】
スカート部２２は、挿入部２１を取り囲むように形成されている。スカート部２２は、固定相手部８における係止面２３０が係止する面の反対側の面に対し係止する部分である。即ち、ハーネスクランプ１の挿入方向Ｚにおいて、スカート部２２は、係止爪２３よりも支持部５側に形成されている。
【００３８】
図１〜６に示される例では、挿入方向Ｚ上で、且つ、ハーネスクランプ１を支持部５側から見る平面視において、スカート部２２が、一対の弧状の部分を一対の直線状の部分が結ぶ楕円状に形成されている。なお、スカート部２２が、上記平面視において、真円状又は角丸長方形状等に形成されている場合も考えられる。
【００３９】
また、スカート部２２は、スカート部２２の外周部に向けて徐々に、係止爪２３側に傾斜する形状に形成されている。即ち、スカート部２２は、皿ばね状に形成され、ハーネスクランプ１の挿入方向Ｚにおいて弾性変形可能である。
【００４０】
また、図１〜６に示される例では、スカート部２２の一部に切れ込み２２０が設けられている。この切れ込み２２０により、スカート部２２は、弾性変形しやすくなる。
【００４１】
スカート部２２は、挿入部２１が固定相手部８の固定孔に挿入されるにつれて挿入方向Ｚの支持部５側に向けて弾性変形する。このとき、スカート部２２が元の形状に復帰しようとする固定用孔の周縁部を押圧する力により、固定相手部８が係止爪２３とスカート部２２とに挟まれる。これにより、ハーネスクランプ１が固定相手部８に対して固定される。
【００４２】
一対のベルト挿通孔部２５は、仕切板部２６により仕切られ後述するベルト部４が通される部分である。本実施形態において、一対のベルト挿通孔部２５は、挿入方向Ｚにおいて、固定部２の挿入部２１を貫通する貫通孔である。
【００４３】
また、本実施形態では、ベルト挿通孔部２５には、ベルト係止部３が形成されている。詳しくは、後述する。
【００４４】
仕切板部２６は、一対のベルト挿通孔部２５の間に形成された板状の部分である。本実施形態において、一対のベルト挿通孔部２５を仕切る仕切板部２６は、挿入方向Ｚにおいて挿入部２１を貫通するように形成されている。
【００４５】
＜ハーネスクランプ：ベルト部及びベルト係止部＞
ベルト部３は、固定部２の支持部５側で電線９１又は電線束９２に巻き付けられる部分である。本実施形態では、ベルト部３は、帯状の部材であり、後述するベルト係止部４の係止爪４０に係止可能な複数の係止部３１がベルト部３の長手方向に沿って形成されている。
【００４６】
本実施形態において、ベルト部３の係止部３１は、一主面で開口する凹状に形成されている。そして、この係止部３１が、ベルト部３の長手方向に沿って間隔を空けて複数形成されている。
【００４７】
ベルト係止部４は、ベルト部３に係止してベルト部３を電線９１又は電線束９２に巻き付けられた形態に維持する部分である。本実施形態は、ベルト係止部４が固定部２に形成されている場合の事例である。より具体的には、本実施形態では、ベルト係止部４は、固定部２のベルト挿通孔部２５内に形成されている。
【００４８】
本実施形態において、ベルト係止部４は、一対のベルト挿通孔部２５内にそれぞれ形成された一対の係止爪４０を含む。係止爪４０は、ベルト部３の係止部３１と係止可能な部分である。係止爪４０は、先端側の部分が自由端とされ、ベルト挿通孔部２５における仕切板部２６に対向する面側に向けて弾性変形可能に形成されている。なお、図１〜６に示される例では、係止爪４０には、ベルト部３の係止部３１に係止する２つの凸状の被係止部４１が形成されている。
【００４９】
図２，７に示されるように、固定相手部８へのハーネスクランプ１の取り付け時において、ベルト部３は、電線９１又は電線束９２に巻き付けられる。そして、電線９１又は電線束９２に巻き付けられた状態のベルト部３の両端部が、それぞれ固定部２に形成された一対のベルト挿通孔部２５に挿通される。本実施形態では、ベルト部３の両端部はいずれも固定部２における支持部５側から一対のベルト挿通孔部２５にそれぞれ挿通される。
【００５０】
本実施形態においては、ベルト挿通孔部２５に通された状態のベルト部３の係止部３１とベルト挿通孔部２５内に形成されたベルト係止部４の被係止部４１とが係止する。ベルト部３が巻き付けられた電線９１又は電線束９２の太さに対応した箇所のベルト部３の係止部３１とベルト係止部４の被係止部４１とが相互に係り合うことにより、第３方向Ｚにおけるベルト部３の移動が規制される。
【００５１】
本実施形態では、電線９１又は電線束９２に巻き付けられたベルト部３の両端部がベルト挿通孔部２５に通され、挿入方向Ｚにおいてベルト部３の移動が規制された形態が、ベルト係止部４により維持されるベルト部３の巻付形態である。
【００５２】
＜ハーネスクランプ：固定部（支持部）＞
図１〜６に示されるように、固定部２における支持部５は、電線９１又は電線束９２の延在方向である第１方向Ｘに交差する第２方向Ｙに延びて形成された壁部５１を含む。そして、壁部５１の先端側縁部５１９に電線９１又は電線束９２の外周部の少なくとも一部を収容可能な凹部５１０が形成されている。また、本実施形態では、支持部５は、壁部５１に連なり第１方向Ｘに延びて形成された補助壁部５２をさらに含んでいる。なお、本実施形態は、補助壁部５２が、一対の両側補助壁部５２１と仕切側補助壁部５２２とを含む場合の事例である。
【００５３】
本実施形態において、壁部５１は、第２方向Ｙに沿って形成された板状の部分である。そして、本実施形態は、支持部５が、２つの壁部５１を含む場合の事例である。
【００５４】
２つの壁部５１の間には、一対のベルト挿通孔部２５が形成されている。また、この２つの壁部５１が対向する方向は、上述した第１方向Ｘでもある。
【００５５】
また、第２方向Ｙは、第１方向Ｘに直交若しくは斜めに交差する方向である。本実施形態では、第２方向Ｙを第１方向Ｘに直交する方向と定義して説明する。なお、本実施形態において、第１方向Ｘと第２方向Ｙとが成す面は、挿入方向Ｚに直交する。
【００５６】
そして、壁部５１の先端側縁部５１９には、凹部５１０が形成されている。なお、壁部５１の先端縁部５１９とは、挿入方向Ｚにおいて、壁部５１のうち固定部２に連なる部分に対し反対側の縁部を意味する。
【００５７】
本実施形態において、凹部５１０には、底部５１１とこの底部５１１に角度を成して連なる一対の側壁部５１２が形成されている。また、凹部５１０における一対の側壁部５１２同士が対向する方向が、第２方向Ｙに沿う方向となっている。
【００５８】
本実施形態において、一対の両側補助壁部５２１は、凹部５１０の両側外方に形成された板状の部分である。本実施形態では、第２方向Ｙにおいて、壁部５１の両側に一対の両側補助壁部５２１が形成されている。しかしながら、壁部５１が一対の両側補助壁部５２１の外側へ突き出た部分を含む形態で一対の両側補助壁部５２１に交差するように形成されている場合も考えられる。
【００５９】
本実施形態において、仕切側補助壁部５２２は、仕切板部２６に連なって形成された板状の部分である。本明細書では、一対のベルト挿通孔部２５を仕切る板状の部分において、挿入部２１を貫通するように形成された部分を仕切板部２６と称し、仕切板部２６の支持部５側に延出して形成された部分、即ち、挿入部２１よりも支持部５側に延出して形成された部分を仕切側補助壁部５２２と称している。
【００６０】
また、仕切側補助壁部５２２は、第２方向Ｙにおいて、それぞれ壁部５１の中間位置に連なって形成されている。また、本実施形態では、第２方向Ｙにおいて、凹部５１０も壁部５１の中間位置の先端縁部５１９に形成されている。例えば、ベルト部３が巻き付けられた電線９１は、この仕切板部２６に連なる仕切側補助壁部５２２上に配線される。そのため、凹部５１０と仕切側補助壁部５２１とが一列に形成されていると、凹部５１０内に電線９１が収容されやすくなる。
【００６１】
また、本実施形態では、壁部５１全体が、第２方向Ｙに沿って延びて形成されている。即ち、壁部５１は、上記平面視において、直線状に形成されている。しかしながら、例えば、壁部５１が、壁部５１のうち凹部５１０が形成された部分が第２方向Ｙに沿って形成され、壁部５１におけるそれ以外の部分が第２方向Ｙ以外の方向に沿って形成されている場合も考えられる。即ち、壁部５１における凹部５１０が形成されている部分のみが第２方向Ｙに沿って形成されている場合が考えられる。
【００６２】
また、壁部５１が、上記平面視において、曲線状に形成されている場合も考えられる。この場合、凹部５１０における一対の側壁部５１２が対向する方向が、第２方向Ｙとなるように壁部５１が形成されていることが考えられる。
【００６３】
また、本実施形態では、凹部５１０における底部５１１と側壁部５１２とが成す角度が９０度である。しかしながら、この底部５１１と側壁部５１２とが成す角度が、９０度以外の場合も考えられる。また、底部５１１と一対の側壁部５１２とが角度を成さずに連なっている場合、即ち、凹部５１０に湾曲面が形成されている場合も考えられる。
【００６４】
また、本実施形態では、凹部５１０の幅が、電線９１の幅よりも小さい。より具体的には、本実施形態では、第２方向Ｙにおいて、凹部５１０の幅が、電線９１の径よりも小さく形成されている。
【００６５】
また、本実施形態では、凹部５１０の高さ（挿入方向Ｚにおける寸法）は、電線９１の径よりも小さくなるように形成されている。この場合、ハーネスクランプ１により電線９１が固定相手部８に対して固定された状態において、電線９１は、凹部５１０の底部５１１に接した状態となる。このため、挿入方向Ｚにおいて、挿入部２１側への電線９１の移動を規制できる。
【００６６】
また、本実施形態では、壁部５１の高さが、両側補助壁部５２１の高さよりも低い。より具体的には、本実施形態では、挿入方向Ｚにおいて、壁部５１の寸法が、両側補助壁部５２１の寸法よりも小さく形成されている。
【００６７】
また、本実施形態では、壁部５１のうち両側補助壁部５２１に連なる部分と凹部５１０とを繋ぐ連結部５１４が、凹部５１０に向けて高さが徐々に低くなる形状に形成されている。図２には、連結部５１４が、直線的に傾斜している場合が示されている。なお、この連結部５１４が、湾曲して傾斜している場合も考えられる。また、連結部５１４が、複数の段差を有し、凹部５１０に向けて段階的に傾斜して形成されている場合も考えられる。
【００６８】
また、図１〜７では、それぞれ異なる高さの一対の両側補助壁部５２１を２つ備えるハーネスクランプ１が示されている。この場合、ハーネスクランプ１の固定相手部８への取り付け時に、ハーネスクランプ１の上下左右の向きを容易に確認できる。しかしながら、これら２つの一対の両側補助壁部５２１の高さが同じであってもよい。
【００６９】
＜作用及び効果＞
本実施形態では、電線９１は、図２に示されるように、壁部５１の凹部５１０内に外周部の少なくとも一部が収容される。この場合、凹部５１０の縁（側壁面５１２と連結部５１４との境界部分）が電線９１に接触し、第２方向Ｙの外力により電線９１の周りでのハーネスクランプの回転が抑制される。また、第２方向Ｙに沿って形成された壁部５１は、第２方向の外力により倒れ変形しにくい。そのため、本実施形態では、ハーネスクランプ１の回転を抑制する状態が、解除されにくくなる。
【００７０】
また、本実施形態では、ハーネスクランプ１は、壁部５１に連なり第１方向Ｘに沿って形成された一対の両側補助壁部５２１及び仕切側補助壁部５２２を含む補助壁部５２を有する。この場合、第１方向Ｘに沿う一対の両側補助壁部５２１及び仕切側補助壁部５２２により、壁部５１は、第１方向Ｘにおいて倒れ変形しにくくなる。そのため、第１方向Ｘにおける電線９１の移動を規制できる。
【００７１】
また、本実施形態において、補助壁部５２が、凹部５１０の両側外方に形成された一対の両側補助壁部５２１を含む。この場合、壁部５１の凹部５１０が、電線９１の周りでのハーネスクランプ１の回転等を規制し、一対の両側補助壁部５２１が、電線束９２の周りでのハーネスクランプ１の回転等を規制する。これにより、１種類のハーネスクランプ１で、１本の電線９１及び複数本の電線９１から構成される電線束９２の両方を固定相手部８に対して固定できる。即ち、このハーネスクランプ１は、汎用性に優れる。
【００７２】
また、本実施形態において、壁部５１の高さが、両側補助壁部５２１の高さよりも低い。この場合、電線束９２に両側補助壁部５２１が接触しやすくなる。そのため、電線束９２の周りでのハーネスクランプ１の回転をより抑制できる。
【００７３】
また、本実施形態では、壁部５１のうち両側補助壁部５２１に連なる部分と凹部５１０とを繋ぐ連結部５１４が、凹部５１０に向けて高さが徐々に低くなる形状に形成されている。この場合、電線９１又は電線束９２が、一対の両側補助壁部５２１間及び凹部５１０内に案内されやすくなる。これにより、電線９１又は電線束９２の周りでのハーネスクランプ１の回転をより抑制できる。
【００７４】
また、本実施形態では、凹部５１０の幅が電線９１の幅よりも小さい。この場合、電線９１は、押し込まれるようにして、その外周部の少なくとも一部が凹部５１０内に収容される。そのため、凹部５１０の縁が電線９１に接触した状態が解除されにくくなる。これにより、電線９１の周りでのハーネスクランプ１の回転をより抑制できる。
【００７５】
また、本実施形態では、ベルト部３と固定部２とが別体である。また、固定部２には、仕切板部２６により仕切られそれぞれベルト部３の両端部を挿通可能な一対のベルト挿通孔部２５が形成されている。そして、補助壁部５２が、仕切板部２６の支持部５側に延出して形成された仕切側補助壁部５２２を含む。この場合、第１方向Ｘに沿って形成された仕切側補助壁部５２２により、壁部５１が第１方向Ｘにおいて倒れにくくなる。これにより、一対のベルト挿通孔部２５を仕切る板状の部分における仕切側補助壁部５２２に、電線９１又は電線束９２の第１方向Ｘにおける移動を抑制する機能を持たせることができる。
【００７６】
＜第２実施形態＞
次に、図８を参照しつつ、第２実施形態に係るハーネスクランプ１Ａについて説明する。ハーネスクランプ１Ａは、ハーネスクランプ１と比較して、ベルト部３と固定部２とが一体である点が異なっている。なお、図８において、図１〜７に示される構成要素と同じ構成要素は、同じ参照符号が付されている。以下、ハーネスクランプ１Ａのうちハーネスクランプ１と異なる点について説明する。
【００７７】
本実施形態では、ベルト部３の一端が固定部２に連なって形成されている。そして、ベルト部３の他端側が、自由端とされている。以下、ベルト部３のうち自由端とされた端部を係止側端部３Ａと称する。
【００７８】
また、本実施形態では、固定部２には、１つのベルト挿通孔部２５が形成されている。また、このベルト挿通孔部２５の内部には、ベルト係止部４が形成されている。
【００７９】
本実施形態では、ベルト部３の係止側端部３Ａ側に形成された係止部３０とベルト挿通孔部２５内に形成されたベルト係止部４の被係止部４１とが係止する。ベルト部３が巻き付けられた電線９１又は電線束９２の太さに対応した箇所のベルト部３の係止部３１とベルト係止部４の被係止部４１とが相互に係り合うことにより、第３方向Ｚにおけるベルト部３の移動が規制される。なお、図８では、ベルト部３が電線９１に巻き付けられた形態が示されている。
【００８０】
本実施形態では、電線９１又は電線束９２に巻き付けられたベルト部３の係止側端部３Ａがベルト挿通孔部２５に通され、挿入方向Ｚにおいてベルト部３の移動が規制された形態が、ベルト係止部４により維持されるベルト部３の巻付形態である。
【００８１】
第２実施形態においても、第１実施形態と同様の効果を得ることができる。
【００８２】
＜応用例＞
上記の実施形態では、壁部５１の凹部５１０が、電線９１の周りでのハーネスクランプ１の回転を抑制し、一対の両側補助壁部５２１が、電線束９２の周りでのハーネスクランプ１の回転を抑制する態様を説明した。しかしながら、壁部５１の凹部５１０が比較的本数の少ない電線束９２の周りでのハーネスクランプ１の回転を抑制し、一対の両側補助壁部５２１が比較的本数の多い電線束９２の周りでのハーネスクランプ１の回転を抑制する場合、あるいは、壁部５１の凹部５１０が比較的径の小さい電線９１の周りでのハーネスクランプ１の回転を抑制し、一対の両側補助壁部５２１が比較的径の大きい電線９１の周りでのハーネスクランプ１の回転を抑制する場合等も考えられる。
【００８３】
また、固定部２が、上記の構造以外の構造であってもよい。例えば、固定部２が、外周面にねじ山が形成されたボルト部と内周面にねじ山が形成されたナット部とを有する場合が考えられる。他にも、固定部２が、挿入部２１に第３方向Ｚに沿って複数段形成された皿ばね状の部分を有する場合も考えられる。
【００８４】
また、補助壁部５２が、一対の両側補助壁部５２１のみを含む場合も考えられる。
【００８５】
また、支持部５が、１つ又は３つ以上の壁部５１及びこの壁部５１の数に応じて１セット又は３セット以上の一対の両側補助壁部５２１を含んでいる場合も考えられる。
【００８６】
なお、本発明に係るハーネスクランプは、各請求項に記載された発明の範囲において、以上に示された各実施形態および応用例を自由に組み合わせること、或いは各実施形態および応用例を適宜、変形する又は一部を省略することによって構成されることも可能である。
【符号の説明】
【００８７】
１  ハーネスクランプ
１Ａ  ハーネスクランプ
２  固定部
２１  挿入部
２２  スカート部
２２０  切れ込み
２３  係止爪
２３０  係止面
２５  ベルト挿通孔部
２６  仕切板部
３  ベルト部
３Ａ  係止側端部
３１  係止部
４  ベルト係止部
４０  係止爪
４１  被係止部
５  支持部
５１  壁部
５１０  凹部
５１１  底部
５１２  側壁部
５１４  連結部
５１９  先端側縁部
５２  補助壁部
５２１  両側補助壁部
５２２  仕切側補助壁部
８  固定相手部
９１  電線
９２  電線束
Ｘ  第１方向
Ｙ  第２方向
Ｚ  第３方向
【図１】
2015226448.tif 000003
【図２】
2015226448.tif 000004
【図３】
2015226448.tif 000005
【図４】
2015226448.tif 000006
【図５】
2015226448.tif 000007
【図６】
2015226448.tif 000008
【図７】
2015226448.tif 000009
【図８】
2015226448.tif 000010